(57)【要約】      （修正有）【課題】簡易で且つ安価な方法でペダル踏み間違いに対する注意を喚起し、自動車のブレーキペダルとアクセルペダルとを踏み間違えを抑制することができるペダル踏み間違い注意喚起シールを提供する。【解決手段】自動車の車内の面に貼付可能なシール状の台紙であるシール状シート部１０を備え、シール状シート部の一部が分離剥離可能な注意表示シール部１２であって、注意表示シール部の左側にブレーキの文字又は及びブレーキペダルをあしらった図柄が表示されると共に、注意表示シール部の右側にアクセルの文字又は及びアクセルペダルをあしらった図柄が表示され、注意表示シール部を、シール状シート部から剥離して車内の運転者が見やすい位置に貼付可能であることを特徴とする。【選択図】図１
0003183672.tif 000002
【実用新案登録請求の範囲】
【請求項１】
自動車の運転者が、ブレーキペダルとアクセルペダルをとを踏み間違えないように注意を喚起するためのペダル踏み間違い注意喚起シールにおいて、
自動車の車内の面に貼付可能なシール状の台紙であるシール状シート部を備え、
該シール状シート部の一部が分離剥離可能な注意表示シール部であって、
該注意表示シール部の左側にブレーキの文字又は及びブレーキペダルをあしらった図柄が表示されると共に、該注意表示シール部の右側にアクセルの文字又は及びアクセルペダルをあしらった図柄が表示され、
該注意表示シール部を、該シール状シート部から剥離して該車内の該運転者が見やすい位置に貼付可能であることを特徴とするペダル踏み間違い注意喚起シール。
【請求項２】
前記注意表示シール部の前記文字及び前記図柄の色が、左右で異なることを特徴とする請求項１記載のペダル踏み間違い注意喚起シール。
【請求項３】
前記注意表示シール部の前記左側の文字及び図柄の色が赤で、前記右側の文字及び図柄の色が赤以外であることを特徴とする請求項２記載のペダル踏み間違い注意喚起シール。
【請求項４】
前記シール状シート部の前記注意表示シール部以外の部分が、広告面又は及び使用方法記載面であることを特徴とする請求項１〜請求項３のいずれかに記載のペダル踏み間違い注意喚起シール。
【考案の詳細な説明】
【技術分野】
【０００１】
本考案は、自動車のブレーキペダルとアクセルペダルとの踏み間違いに対する注意喚起を行うためのペダル踏み間違い注意喚起シールに関する。
【背景技術】
【０００２】
従来より、自動車のブレーキペダルとアクセルペダルとを踏み間違えて、自動車が急発進したために、店舗に自動車が突入してしまうような、ペダル踏み間違い事故が多発している。このような、自動車のブレーキペダルとアクセルペダルとを踏み間違えを防止する方法として、各種の制御装置や機構が提案されてきている。
【０００３】
例えば、特許文献１に示す自動車のアクセル誤操作防止警報装置は、自動車のアクセルペダルとアクセルペダルの上にあるダッシュボードとの間を結ぶ線上に光電センサーを配設し、センサー及びシフトポジションや車速の信号によって、アクセルペダル上に運転手の足がある場合、運転手の耳元に近いセンターピラーに設けられたスピーカから音声にて警告を発することによって運転手に注意を促すような構成になっている。
【０００４】
そして、高齢者や自動車に不慣れな運転手が自動変速機付自動車を運転した場合、ＲポジションまたはＤポジションにギヤが入っていて、アクセルペダルに運転手の足が掛かっていると音声によって警告が発せられるようにしたものである。
【先行技術文献】
【特許文献】
【０００５】
【特許文献１】特開２００８−１５００１１号公報
【考案の概要】
【考案が解決しようとする課題】
【０００６】
しかしながら、特許文献１に示される自動車のアクセル誤操作防止警報装置は、他の手段に比べれば比較的簡易で安価な手段ではあるものの、光学センサーを取り付けるなど、費用と手間が掛かってしまい、導入が進んでいない。
【０００７】
本考案は、このような事情に鑑みてなされたもので、簡易で且つ安価な方法でペダル踏み間違いに対する注意を喚起し、自動車のブレーキペダルとアクセルペダルとを踏み間違えを抑制することができるペダル踏み間違い注意喚起シールを提供することにある。
【課題を解決するための手段】
【０００８】
請求項１記載のペダル踏み間違い注意喚起シールは、自動車の車内の面に貼付可能なシール状の台紙であるシール状シート部を備え、シール状シート部の一部が分離剥離可能な注意表示シール部であって、注意表示シール部の左側にブレーキの文字又は及びブレーキペダルをあしらった図柄が表示されると共に、注意表示シール部の右側にアクセルの文字又は及びアクセルペダルをあしらった図柄が表示され、注意表示シール部を、シール状シート部から剥離して車内の運転者が見やすい位置に貼付可能であることを特徴とする。
【０００９】
請求項２記載のペダル踏み間違い注意喚起シールは、注意表示シール部の文字及び図柄の色が、左右で異なることを特徴とする。
【００１０】
請求項３記載のペダル踏み間違い注意喚起シールは、注意表示シール部の左側の文字及び図柄の色が赤で、右側の文字及び図柄の色が赤以外であることを特徴とする。
【００１１】
請求項４記載のペダル踏み間違い注意喚起シールは、シール状シート部の注意表示シール部以外の部分が、広告面又は及び使用方法記載面であることを特徴とする。
【考案の効果】
【００１２】
請求項１〜請求項４の考案によれば、ブレーキの文字又は及びブレーキペダルをあしらった図柄と、アクセルの文字又は及びアクセルペダルをあしらった図柄が表示された注意表示シール部を、シール状シート部から剥離して車内の運転者が見やすい位置に貼付可能であることから、運転者は、運転中にブレーキペダルが左でアクセルペダルが右であることを意識することができ、シールの貼付というより簡易で且つ安価な方法でペダル踏み間違いに対する注意を喚起し、自動車のブレーキペダルとアクセルペダルとを踏み間違えを抑制することができる。
【図面の簡単な説明】
【００１３】
【図１】本考案に係るペダル踏み間違い注意喚起シールの一例を示す正面図である。
【図２】同ペダル踏み間違い注意喚起シールの使用状態を示す正面図である。
【考案を実施するための形態】
【００１４】
以下、本考案の形態について図面を参照しながら具体的に説明する。図１は、本考案に係るペダル踏み間違い注意喚起シールの一例を示す正面図である。図２は、同ペダル踏み間違い注意喚起シールの使用状態を示す正面図である。
【００１５】
図に示すペダル踏み間違い注意喚起シール１は、自動車の運転者が、ブレーキペダルとアクセルペダルとを踏み間違えないように注意を喚起するための掲示用のものである。ペダル踏み間違い注意喚起シール１は、全体として、自動車の車内の面に貼付可能なシール状の台紙であるシール状シート部１０からなる。このシール状シート部１０は、裏面に剥離紙が貼付されたもので、全体として、シール状である。
【００１６】
また、シール状シート部１０の材質は、紙を基本とするが、必ずしも紙に限るものではなく、自動車の車内の凹凸を有する面に貼付可能なものであればよい。また、シール状シート部１０の大きさは、特に限定はないが、後述する注意表示シール部１２に描かれた文字や図柄が、運転者から見やすい大きさで描かれるのに十分な面積が必要である。また、ペダル踏み間違い注意喚起シール１自体を配布するのは、名刺サイズの大きさが取り扱いやすく好ましい。
【００１７】
シール状シート部１０の一部は、切れ目である剥離線１４で区切られ分離剥離可能に形成された注意表示シール部１２になっている。図では、横長の長穴状になっているが、形状は特に限られるものではない。また、注意表示シール部１２の大きさは、注意表示シール部１２に描かれた文字や図柄が、運転者から見やすい大きさで描かれるのに十分な面積が必要で、例えば、約４５ｍｍ×約２５ｍｍの大きさである。尚、注意表示シール部１２だけが、分離剥離可能なシールであってもよい。
【００１８】
注意表示シール部１２の左側にブレーキの文字が表示されてブレーキ文字表示１２ａとなっており、ブレーキ文字表示１２ａの周囲が丸い図柄で囲まれてブレーキ強調表示１２ａａとなっている。また、注意表示シール部１２の右側にアクセルの文字が表示されてアクセル文字表示１２ｂとなっており、アクセル文字表示１２ｂの周囲が丸い図柄で囲まれてアクセル強調表示１２ｂａとなっている。
【００１９】
尚、ブレーキ強調表示１２ａａ及びアクセル文字表示１２ｂであるが、２つの丸が左右に並んでいることから、運転手の足下のブレーキペダルとアクセルペダルの位置関係を図柄で示しているとみなすことも可能で、ブレーキペダルとアクセルペダルとをあしらった図柄とみなすこともできる。
【００２０】
図に示す注意表示シール部１２では、ブレーキ文字表示１２ａとアクセル文字表示１２ｂとを有し、ブレーキの文字とアクセルの文字を表示しているが、必ずしも文字を表示する必要はなく、注意表示シール部１２の左側にブレーキペダルをイメージできるブレーキペダルをあしらった図柄を表示し、右側にアクセルペダルをイメージできるアクセルペダルをあしらった図柄を表示するようにしてもよい。また、文字と図柄の両方を、左右に表示するようにしてもよい。さらに、文字だけを必須とし、必要に応じて図柄を左右に表示するようにしてもよい。
【００２１】
尚、ブレーキペダルをイメージできるブレーキペダルをあしらった図柄や、アクセルペダルをイメージできるアクセルペダルをあしらった図柄は、必ずしも、ペダルの形状を模した図柄にする必要はなく、例えば、ブレーキ強調表示１２ａａ及びアクセル文字表示１２ｂのようなペダルの左と右とを意識できる図柄であればよい。
【００２２】
また、ペダルの左と右とを意識させるために、注意表示シール部１２の左右で、文字や図柄の色を変えることも有効である。図の例でいけば、例えば、左側のブレーキ文字表示１２ａとブレーキ強調表示１２ａａとを赤で表示し、右側のアクセル文字表示１２ｂとアクセル強調表示１２ｂａとを青で表示するようにする。このとき、ブレーキペダルの方により意識を持っていって欲しいため、左側のブレーキの文字又は及びブレーキペダルをあしらった図柄を赤く表示し、右側のアクセルの文字又は及びアクセルペダルをあしらった図柄を赤以外の色で表示することが望ましい。
【００２３】
また、シール状シート部１０の注意表示シール部１２以外の部分を広告面や使用方法記載面にすることもできる。図１のペダル踏み間違い注意喚起シール１では、注意表示シール部１２の周囲を広告面である広告表示部１０ｃとして確保している他、広告表示部１０ｃの上段にペダル踏み間違い注意喚起シール１の名称を表示する名称表示部１０ｂを配し、さらにその上段に使用方法記載面である使用方法表示部１０ａを設けるようにしている。尚、裏面（剥離紙面）を広告面や使用方法記載面にするようにしてもよい。
【００２４】
上述のようなペダル踏み間違い注意喚起シール１の使用方法としては、ペダル踏み間違い注意喚起シール１のシール状シート部１０から注意表示シール部１２を剥離して、注意表示シール部１２を車内の運転者が見やすい位置に貼付して使用する（図２の例では、注意表示シール部１２をハンドル４に貼付している）。
【００２５】
このように、本実施の形態におけるペダル踏み間違い注意喚起シール１によれば、ブレーキの文字又は及びブレーキペダルをあしらった図柄と、アクセルの文字又は及びアクセルペダルをあしらった図柄が表示された注意表示シール部１２を、シール状シート部１０から剥離して車内の運転者が見やすい位置に貼付可能であることから、運転者は、運転中にブレーキペダルが左でアクセルペダルが右であることを意識することができ、シールの貼付というより簡易で且つ安価な方法でペダル踏み間違いに対する注意を喚起し、自動車のブレーキペダルとアクセルペダルとを踏み間違えを抑制することができる。
【産業上の利用可能性】
【００２６】
本考案により、簡易で且つ安価な方法でペダル踏み間違いに対する注意を喚起し、自動車のブレーキペダルとアクセルペダルとを踏み間違えを抑制することができるペダル踏み間違い注意喚起シールを提供することができる。
【符号の説明】
【００２７】
１・・・・・・ペダル踏み間違い注意喚起シール
４・・・・・・ハンドル
１０・・・・・シール状シート部
１０ａ・・・・使用方法表示部
１０ｂ・・・・名称表示部
１０ｃ・・・・広告表示部
１２・・・・・注意表示シール部
１２ａ・・・・ブレーキ文字表示
１２ａａ・・・ブレーキ強調表示
１２ｂ・・・・アクセル文字表示
１２ｂａ・・・アクセル強調表示
１４・・・・・剥離線
【図１】
0003183672.tif 000003
【図２】
0003183672.tif 000004